(57)【要約】【課題】印影の組合せを自由に変更でき、趣向に応じた形状を有する印判を提供することである。【解決手段】本発明に係る印判１００，１００ａ，〜，１００ｇにおいては、組立ブロック２００の裏面に印面３００が取り付けられているので、組立ブロック２００を種々組み合わせることにより、印影の組合せを自由に変更することができる。また、組立ブロック２００を様々な形状にすることにより趣向に応じた形状を有する印判５００，５０１，５０１ａ，５０２，５０２ａ，５０３，５０３ａを作ることができる。【選択図】図２
2010260288.tif 000002
【特許請求の範囲】
【請求項１】
印面を有する印判であって、
組立ブロックに印面が取り付けられたことを特徴とする印判。
【請求項２】
前記印面は、
凹面および凸面を有する組立ブロックの前記凹面に印面が取り付けられたことを特徴とする請求項１記載の印判。
【請求項３】
前記印面は、
印を転写する印面部材と、
前記印面部材を前記凹部に固定する固定部材と、を含むことを特徴とする請求項１または請求項２記載の印判。
【請求項４】
複数の前記組立ブロックの凹面および凸面を組み合わせて把持部を形成したことを特徴とする請求項から請求項３のいずれか１項に記載の印判。
【請求項５】
複数の前記組立ブロックの凹面および凸面を組み合わせて像を形成したことを特徴とする請求項１から請求項４のいずれか１項に記載の印判。
【請求項６】
印面を有する印判であって、
凹面および凸面を有する一の組立ブロックの前記凹面に一の印面が取り付けられ、
凹面および凸面を有する他の組立ブロックの前記凹面に他の印面が取り付けられ、
前記一の組立ブロックと前記他の組立ブロックとを連結する連結組立ブロックと、を含み、
前記一の印面と前記他の印面との相対距離を変更することを特徴とする印判。
【発明の詳細な説明】
【技術分野】
【０００１】
本発明は、組立ブロック、特に玩具用の組立ブロックを用いたスタンプ、判および印等を含む印判に関する。
【背景技術】
【０００２】
従来から書面の記載証明を行う場合または本人確認証明を行う場合に、所定の印判により印影を示している。また、幼児の遊びとしてスタンプ等が利用されたり、宅配便の受け取り確認のために判が用いられたりしている。このように、従来から印判は世間一般に多く利用されている。
【０００３】
例えば、特許文献１には、印判を捺印する際、邪魔にならず印影を容易に真っ直ぐに押すことができるガイド機能を有し、かつアクセサリや、小物入れ、及び交換可能な捺印部部材を有する等の、機能が豊富で多目的に使用できる印判について開示されている。
【０００４】
特許文献１記載の印判は、印判上面に掛止部を設け、掛止部に吊り下げ具を装着させ、アクセサリとすることができるものである。
【先行技術文献】
【特許文献】
【０００５】
【特許文献１】特開２００６−２７１４８公報
【発明の概要】
【発明が解決しようとする課題】
【０００６】
しかしながら、スタンプ、判および印等を含む印判は、証明に使われることが多く、基本的に印面を変化させることができない。すなわち、スタンプ、判および印等を含む印判においては、風格や格式、出所の信頼度を表すものとして用いられる傾向がある。したがって、それらの風潮に沿うように、単調な色や一定の形状を有するものが多い。また、例外的に印面を変化できるものであっても、縦書きの印影は、縦書きの状態でのみ使用され、例えば、横書きの印影が欲しくても横書きの印影に変更させることができず、新たに横書きの印判を製造する必要があった。
【０００７】
本発明の目的は、印影の組合せを自由に変更することができる印判を提供することである。
本発明の他の目的は、印影の組合せを自由に変更でき、趣向に応じた形状を有する印判を提供することである。
【０００８】
（１）
本発明に係る印判は、印面を有する印判であって、組立ブロックに印面が取り付けられたものである。
【０００９】
本発明に係る印判においては、組立ブロックに印面が取り付けられる。
【００１０】
この場合、組立ブロックに印面が取り付けられているので、組立ブロックを種々組み合わせることにより、印影の組合せを自由に変更することができる。また、組立ブロックを様々な形状にすることにより趣向に応じた形状を有する印判を作ることができる。ここで、組立ブロックとは、レゴブロック（登録商標）、ダイアブロック（登録商標）、メガブロック（登録商標）、その他、任意の組み合わせることができる組立ブロックをも含むものである。なお、組立ブロックの凹面、凸面および側面の１または複数に印判を取り付けてもよい。
【００１１】
（２）
印判は、凹面および凸面を有する組立ブロックの凹面に印面が取り付けられてもよい。
【００１２】
この場合、組立ブロックの凹面に印面が取り付けられているので、組立ブロックを種々組み合わせることにより、印影の組合せを自由に変更することができる。また、組立ブロックを様々な形状にすることにより趣向に応じた形状を有する印判を作ることができる。
【００１３】
（３）
印面は、印を転写する印面部材と、印面部材を凹面に固定する固定部材と、を含むことが好ましい。
【００１４】
この場合、組立ブロックの凸凹がある凹面に固定部材を固定し、当該固定部材に確実に印面部材を設けることができるので、印判による印影をしっかりと転写することができる。
【００１５】
（４）
印判は、複数の組立ブロックの凹面および凸面を組み合わせて把持部を形成してもよい。
【００１６】
この場合、複数の組立ブロックの凹面および凸面を組み合わせて把持部を形成することができるので、使用者の趣向に応じた把持部を形成することができる。
【００１７】
（５）
印判は、複数の組立ブロックの凹面および凸面を組み合わせて像を形成してもよい。
【００１８】
この場合、複数の組立ブロックの凹面および凸面を組み合わせて使用者の趣向に応じた像を形成することができる。例えば、消防車、自動車、家、庭、小屋、飛行機、ヘリコプター、船、警察署、ショベルカー、クレーン車、動物、花、人、アニメ、キャラクター等、任意の像を形成することができる。
【００１９】
（６）
本発明に係る印判は、印面を有する印判であって、凹面および凸面を有する一の組立ブロックの凹面に一の印面が取り付けられ、凹面および凸面を有する他の組立ブロックの凹面に他の印面が取り付けられ、一の組立ブロックと他の組立ブロックとを連結する連結組立ブロックと、を含み、一の印面と他の印面との相対距離を変更するものである。
【００２０】
本発明に係る印判においては、印判は、連結ブロックにより一の印面を有する一の組立ブロックと他の印面を有する他の組立ブロックとが連結される。すなわち、連結ブロックに対して一の組立ブロックと他の組立ブロックとの位置を変更することにより、一の印面と他の印面との相対距離を変更することができる。
【００２１】
この場合、使用者の趣味趣向に応じて、一の印面と他の印面との位置を変更し、種々の印影を形成することができる。例えば、一文字を一の印面に配置し、他の一文字を他の印面に配置し、それらを横に並べて連結させるまたは縦に並べて連結させることで、一文字および他の一文字で縦書きおよび横書きの印影を作成することができる。
【図面の簡単な説明】
【００２２】
【図１】組立ブロックの一例を説明するための模式図
【図２】本発明に係る組立ブロックを用いた印判の断面の一例を示す模式的断面図
【図３】本発明に係る印判の組合せ状態の一例を説明するための模式的断面図
【図４】本発明に係る印判の組合せ状態の一例を説明するための模式的断面図
【図５】本発明に係る印判の組合せ状態の一例を説明するための模式的断面図
【図６】印判の印面を説明するための模式的斜視図
【図７】図６の印判の効果を示すための模式的斜視図
【図８】印判を用いて印影を変化させる状態の一例を説明する模式的斜視図
【図９】印判を用いて印影を変化させる状態の一例を説明する模式的斜視図
【図１０】図６〜図９に示した印判の他の例を示す模式的斜視図
【図１１】図６〜図９に示した印判の他の例を示す模式的斜視図
【図１２】図６〜図９に示した印判の他の例を示す模式的斜視図である。
【発明を実施するための最良の形態】
【００２３】
以下、本発明に係る実施の形態について図面を用いて説明する。本実施の形態においては、組立ブロックを用いた印判について具体例を挙げて説明する。
【００２４】
（一実施の形態）
図１は、組立ブロックの一例を説明するための模式図であり、図２は、本発明に係る組立ブロックを用いた印判の断面の一例を示す模式的断面図である。
【００２５】
図１に示すように、組立ブロック２００の一方の面（以下、表面と呼ぶ。）には、凸状の突起２１０が複数形成されている。図１においては、凸状の突起２１０が９個設けられている。また、組立ブロック２００の他方の面（以下、裏面と呼ぶ。）には、凹形状が形成されており、当該凹形状に凸筒形状２２０が複数形成されている。図１においては、凸筒形状２２０が４個形成されている。また、凸筒形状２２０の中央部には、それぞれ凹穴２２１が形成されている。これらの組立ブロック２００を矢印Ｒ１の方向に組み合わせることで、様々な形状または像を作成することができる。
【００２６】
図２に示すように、本発明に係る印判１００は、図１に示した組立ブロック２００の裏面に固定板４００を接着剤により貼着し、さらに固定板４００に印面３００を接着剤により貼着したものである。
【００２７】
なお、本実施の形態においては、接着剤により固定板４００および印面３００を貼着することとしたが、これに限定されず、両面テープ、溶着、その他任意の方法で接着または固定させてもよい。さらに、本実施の形態においては、固定板４００を設けることとしたが、これに限定されず、枠部材、棒部材、さらに印面３００の剛性がある場合には、固定板４００を設けなくてもよい。
【００２８】
次に、図３、図４および図５は、図２に示した本発明に係る印判１００の組合せ状態の一例を説明するための模式的断面図である。
【００２９】
まず、図３に示すように、組立ブロック２００の裏面側から本発明に係る印判１００を垂直上方向（矢印Ｒ１の方向）に組み合わせる。この場合、印判１００の組立ブロック２００の凸状の突起２１０が複数の凸筒形状２２０の間に挿入され、組立ブロック２００および印判１００が嵌合される。このように、組立ブロック２００および印判１００は矢印Ｒ１の方向に力を加えることにより嵌合され、矢印Ｒ１の方向と逆方向に力を加えることにより分離させることができる。
【００３０】
また、図４に示すように、組立ブロック２００に対して、本発明に係る印判１００を鉛直上下方向から少しずらして矢印Ｒ２の方向に組み合わせる。この場合、印判１００の凸状の突起２１０が複数の凸筒形状２２０の間に挿入され、組立ブロック２００および印判１００が嵌合される。このように、組立ブロック２００および印判１００は矢印Ｒ２の方向に力を加えることにより嵌合され、矢印Ｒ２の方向と逆方向に力を加えることにより分離させることができる。
【００３１】
さらに、図５に示すように、印判１００ａは複数の凸筒形状２２０が、図３および図４の印判１００よりも少ない印判である。この場合、印判１００ａの凸状の突起２１０が複数の凸筒形状２２０に設けられた凹穴２２１に嵌合される。このように、組立ブロック２００および印判１００ａは矢印Ｒ３の方向に力を加えることにより嵌合され、矢印Ｒ３の方向と逆方向に力を加えることにより分離させることができる。このように、組立ブロック２００および印判１００，１００ａを様々に組み合わせることができる。また、組立ブロック２００を複数使用することで、他の種々の形状または多様な像を形成することができる。
【００３２】
続いて、図６は印判５０１の印面を説明するための模式的斜視図であり、図７は図６の印判５０１の効果を示すための模式的斜視図である。
【００３３】
図６に示すように、印判５０１は、縦書き“鈴木”の印影を形成するものである。印判５０１は、複数の印判１００ｂ，１００ｃからなり、印判１００ｂの印面３０１には、“鈴”が形成されており、印判１００ｃの印面３０２には、“木”が形成されている。この場合、印判１００ｂ，１００ｃは、一つの組立ブロック２００に組み合わされて一体化されている。また、一体化している組立ブロック２００は、印判１００を把持するための把持部２５０を形成している。
【００３４】
一方、図７に示す印判１００ｂは図６の印判１００ｂを所定の方向に９０度回転させ、印判１００ｃは図６の印判１００ｃを当該所定の方向に９０度回転させたものである。この場合、複数の印判１００ｂ，１００ｃを含む印判５０１ａは、横書き“鈴木”の印影を形成することができる。したがって、本発明によれば、縦書きおよび横書きの印影の変更を自由に行うことができる。
【００３５】
続いて、図８および図９は、本発明に係る印判を用いて印影を変化させる状態の一例を説明する模式的斜視図である。
【００３６】
図８に示すように、印判５０２においては、印判１００ｄ，１００ｅ，１００ｆ，１００ｇが設けられている。
【００３７】
印判１００ｄには名称を示す“佐藤商店”の印面が形成されており、印判１００ｅには住所を示す印面が形成されており、印判１００ｆには電話番号を示す印面が形成されており、印判１００ｇにはホームページのアドレスの印面が形成されている。この印判５０２の印判１００ｄ，１００ｅ，１００ｆ，１００ｇの印面を朱肉にあててインクを付着させた後、紙面等に印影を転写する。
【００３８】
次に、図９は、印判５０２の印判１００ｄ，〜，１００ｇのうち、印判１００ｄ，１００ｆのみを用いた場合を示すものである。図９に示すように、本実施の形態における印判５０２ａは、名称および電話番号のみの印面を有する。そして、印判１００ｄの名称を示す“佐藤商店”の印面と、印判１００ｆの電話番号を示す印面とが図８の印判５０２と比較して少しずれて配設される。
【００３９】
このように、本発明に係る印判５０２，５０２ａにおいては、印影を自由に変更することができ、印影の配置を種々に変更させることができる。
【００４０】
また、印判５０２，５０２ａにおいては、印判の順序を並べ変えて印影を作成するだけでなく、趣味趣向に応じて名称と電話番号とをさらにずらして自由に配置させた印影を作成することもでき、名称およびホームページのアドレスのみ、または名称および住所を一列に配置させる等、様々な印影を作成することができる。
【００４１】
また、図８および図９に示すように、印判５０２，５０２ａの印面の逆側には、把持部２５０が設けられている。なお、本実施の形態においては、印判５０２，５０２ａを形成した場合について説明をしたが、これに限定されず、印判５０２，５０２ａの印面を収納することができる容器を１または複数の組立ブロック２００により形成させてもよい。
【００４２】
それにより、印面に付着したインクが手に付着することを防止することができる。
【００４３】
（他の例）
続いて、図１０、図１１および図１２は、図６〜図９に示した印判の他の例を示す模式的斜視図である。
【００４４】
図１０に示す印判５０３は、複数の組立ブロック２００を用いて馬の形状を形成した印判である。また、図１１に示すように、馬の脚の先端部分に印判１００が設けられ、印判１００の裏面側に印面３２１，３２２，３２３，３２４，３２５が設けられる。印面３２１には、“鈴木”印面３２２には、“商店”印面３２３には“特売”印面３２４には“で”印面３２５には“す”が形成されている。
【００４５】
また、図１１に示すように、印判５０３には、把持部２５０が形成されている。
【００４６】
さらに、図１２の印判５０３ａにおいては、図１０および図１１に示した印判５０３から馬の脚部分を組み替えたものである。図１２に示すように、印面３２３を有する印判および組立ブロックと、印面３２４，３２５を有する印判および組立ブロックとを組み替えている。
【００４７】
このように、本発明に係る印判５０３，５０３ａにおいては、趣味趣向により印判１００を自由に入れ替え、印影を変更することができる。
【００４８】
以上のように、本発明に係る印判１００，〜，１００ｇを用いた印判５０１，５０１ａ，５０２，５０２ａ，５０３，５０３ａは、組立ブロック２００の凹面に印面３００が取り付けられているので、印判１００，〜，１００ｇを種々組み合わせることにより、印影の組合せを自由に変更することができる。また、組立ブロック２００を様々な形状にすることにより趣向に応じた形状を有する印判５０１，５０１ａ，５０２，５０２ａ，５０３，５０３ａを作ることができる。ここで、組立ブロック２００とは、レゴブロック（登録商標）、ダイアブロック（登録商標）、メガブロック（登録商標）、その他、任意の組み合わせることができる組立ブロックをも含むものである。
【００４９】
また、固定板４００により確実に印面３００を固定することができるので、印判１００，〜，１００ｇによる印影を対象物（紙等に）しっかりと転写することができる。
【００５０】
さらに、使用者の趣向に応じた把持部２５０を形成することができる。また、複数の組立ブロック２００の凹面および凸面を組み合わせて使用者の趣向に応じた像を形成することができる。
【００５１】
なお、上記の実施の形態においては、具体的に印判１００，１００ａ，〜，１００ｇ，５００，５０１，５０１ａ，５０２，５０２ａ，５０３，５０３ａについて説明したが、これに限定されず、五十音のひらがなおよびカタカナ、漢字の一文字、アルファベット、マーク、模様、飾り模様、記号、イラスト等を印判にして、自由自在に配置させてもよい。具体的な一例として、縦書きの文字列と、横書きの文字列と、飾り模様を一の印判として用いることもできる。
【００５２】
なお、上記の実施の形態に係る印判においては、印面３００が印面に相当し、印判１００，１００ａ，〜，１００ｇ，５００，５０１，５０１ａ，５０２，５０２ａ，５０３，５０３ａが印判に相当し、組立ブロック２００が組立ブロックに相当し、凸筒形状２２０を有する面が凹面に相当し、凸状の突起２１０を有する面が凸面に相当し、印面３２１，〜，３２５が印面部材に相当し、固定板４００が固定部材に相当し、把持部２５０が把持部に相当し、印判５００，５０１，５０１ａ，５０２，５０２ａ，５０３，５０３ａの把持部２５０が像に相当し、印面３２１，〜，３２５の少なくとも１の一方が一の印面に相当し、印面３２１，〜，３２５の少なくとも１の他方が他の印面に相当し、把持部２５０を形成する組立ブロック２５０、および印判１００に含まれない組立ブロック２００が連結組立ブロックに相当する。
【００５３】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５４】
１００，１００ａ，〜，１００ｇ
２００  組立ブロック
２１０  凸状の突起
２２０  凸筒形状
２５０  把持部
３００  印面
３２１，〜，３２５  印面
４００  固定板
５００，５０１，５０１ａ，５０２，５０２ａ，５０３，５０３ａ  印判
【図１】
2010260288.tif 000003
【図２】
2010260288.tif 000004
【図３】
2010260288.tif 000005
【図４】
2010260288.tif 000006
【図５】
2010260288.tif 000007
【図６】
2010260288.tif 000008
【図７】
2010260288.tif 000009
【図８】
2010260288.tif 000010
【図９】
2010260288.tif 000011
【図１０】
2010260288.tif 000012
【図１１】
2010260288.tif 000013
【図１２】
2010260288.tif 000014